【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
移動体の運転者に提供する運転者提供情報を示す運転者提供情報画像を、光透過部材を介して運転者が視認する移動体進行方向前方の所定の表示エリアに表示させるように、該光透過部材へ画像光を投射する画像光投射手段を備えた情報提供装置であって、
当該移動体の周囲に存在する検出対象物の移動体進行方向相対距離を検出する距離検出手段と、
前記運転者の視点位置を検知する視点位置検知手段と、
前記視点位置検知手段の検知結果に応じて前記検出対象物を示す対象物画像の表示位置を変化させることにより、該対象物画像についての運動視差による運転者の知覚距離が前記距離検出手段が検出した該検出対象物の移動体進行方向相対距離に応じて変化するように、前記画像光投射手段を制御する表示制御手段とを有することを特徴とする情報提供装置。
【請求項２】
請求項１に記載の情報提供装置において、
前記検出対象物は、当該移動体の前方を進行する他の移動体であることを特徴とする情報提供装置。
【請求項３】
移動体の運転者に提供する運転者提供情報を示す運転者提供情報画像を、光透過部材を介して運転者が視認する移動体進行方向前方の所定の表示エリアに表示させるように、該光透過部材へ画像光を投射する画像光投射手段を備えた情報提供装置であって、
前記所定の表示エリアは、運転者によって能動的に認知される能動情報を示す能動情報画像を継続表示させる能動情報画像表示領域と、運転者によって受動的に認知される受動情報を示す受動情報画像を所定の情報提供条件を満たしたタイミングで一時表示させる受動情報画像表示領域とを備えており、
前記運転者の視点位置を検知する視点位置検知手段と、
前記視点位置検知手段の検知結果に応じて前記受動情報画像表示領域に表示される受動情報画像の表示位置を変化させることにより、運動視差による該受動情報画像についての運転者の知覚距離が前記能動情報画像表示領域に表示される能動情報画像についての運転者の知覚距離よりも遠くなるように、前記画像光投射手段を制御する表示制御手段とを有することを特徴とする情報提供装置。
【請求項４】
請求項３に記載の情報提供装置において、
前記受動情報は、移動体の運転者へそれぞれ異なる操作指示内容を示す複数の操作指示情報を含み、
前記表示制御手段は、各操作指示情報にそれぞれ対応する複数の操作指示画像を、運転者に操作させる操作順序が後になる操作指示内容を示すものほど、前記受動情報画像表示領域内の上側に表示されるように、前記画像光投射手段を制御することを特徴とする情報提供装置。
【請求項５】
請求項４に記載の情報提供装置において、
前記画像光投射手段は、前記受動情報画像表示領域が、前記光透過部材を介して運転者が視認する移動体進行方向前方の風景の下部に位置するように、該光透過部材へ画像光を投射することを特徴とする情報提供装置。
【請求項６】
請求項４又は５に記載の情報提供装置において、
前記複数の操作指示画像は、前記移動体の移動ルート上の異なる地点で運転者が操作すべき操作内容を指示する操作指示内容を示すものであることを特徴とする情報提供装置。
【請求項７】
請求項１乃至６のいずれか１項に記載の情報提供装置において、
前記画像光投射手段は、投射する画像光によって前記運転者提供情報画像を虚像として前記所定の表示エリア内に表示させるものであり、
運転者から前記虚像までの距離が５ｍ以上であることを特徴とする情報提供装置。
【請求項８】
請求項１乃至７のいずれか１項に記載の情報提供装置において、
前記画像光投射手段は、前記運転者提供情報画像の画像情報に応じた画像光を照射する光照射手段から照射した画像光を光走査手段により二次元走査して前記光透過部材へ投射することにより、前記所定の表示エリア内に前記運転者提供情報画像を表示させるものであることを特徴とする情報提供装置。
【請求項９】
移動体の運転者に提供する運転者提供情報を示す運転者提供情報画像を、光透過部材を介して運転者が視認する移動体進行方向前方の所定の表示エリアに表示させるように、該光透過部材へ画像光を投射することにより、前記運転者提供情報を運転者へ提供する情報提供方法であって、
当該移動体の周囲に存在する検出対象物の移動体進行方向相対距離を検出する距離検出工程と、
前記運転者の視点位置を検知する視点位置検知工程と、
前記視点位置検知工程での検知結果に応じて前記検出対象物を示す対象物画像の表示位置を変化させることにより、該対象物画像についての運動視差による運転者の知覚距離を前記距離検出工程で検出した該検出対象物の移動体進行方向相対距離に応じて変化させる表示工程とを有することを特徴とする情報提供方法。
【請求項１０】
移動体の運転者に提供する運転者提供情報を示す運転者提供情報画像を、光透過部材を介して運転者が視認する移動体進行方向前方の所定の表示エリアに表示させるように、該光透過部材へ画像光を投射する画像光投射手段と、当該移動体の周囲に存在する検出対象物の移動体進行方向相対距離を検出する距離検出手段、前記運転者の視点位置を検知する視点位置検知手段とを備えた情報提供装置のコンピュータを機能させるための情報提供用制御プログラムであって、
前記視点位置検知手段の検知結果に応じて前記検出対象物を示す対象物画像の表示位置を変化させることにより、該対象物画像についての運動視差による運転者の知覚距離が前記距離検出手段が検出した該検出対象物の移動体進行方向相対距離に応じて変化するように、前記画像光投射手段を制御する表示制御手段として、前記コンピュータを機能させることを特徴とする情報提供用制御プログラム。
【請求項１１】
移動体の運転者に提供する運転者提供情報を示す運転者提供情報画像を、光透過部材を介して運転者が視認する移動体進行方向前方の所定の表示エリアに表示させるように、画像光投射手段を用いて該光透過部材へ画像光を投射することにより、前記運転者提供情報を運転者へ提供する情報提供方法であって、
前記所定の表示エリアは、運転者によって能動的に認知される能動情報を示す能動情報画像を継続表示させる能動情報画像表示領域と、運転者によって受動的に認知される受動情報を示す受動情報画像を所定の情報提供条件を満たしたタイミングで一時表示させる受動情報画像表示領域とを備えており、
前記運転者の視点位置を検知する視点位置検知工程と、
前記視点位置検知工程での検知結果に応じて前記受動情報画像表示領域に表示される受動情報画像の表示位置を変化させることにより、運動視差による該受動情報画像についての運転者の知覚距離が前記能動情報画像表示領域に表示される能動情報画像についての運転者の知覚距離よりも遠くなるように、前記画像光投射手段を制御する表示制御工程とを有することを特徴とする情報提供方法。
【請求項１２】
移動体の運転者に提供する運転者提供情報を示す運転者提供情報画像を、光透過部材を介して運転者が視認する移動体進行方向前方の所定の表示エリアに表示させるように、該光透過部材へ画像光を投射する画像光投射手段と、前記運転者の視点位置を検知する視点位置検知手段とを備えた情報提供装置のコンピュータを機能させるための情報提供用制御プログラムであって、
前記所定の表示エリアは、運転者によって能動的に認知される能動情報を示す能動情報画像を継続表示させる能動情報画像表示領域と、運転者によって受動的に認知される受動情報を示す受動情報画像を所定の情報提供条件を満たしたタイミングで一時表示させる受動情報画像表示領域とを備えており、
前記視点位置検知手段の検知結果に応じて前記受動情報画像表示領域に表示される受動情報画像の表示位置を変化させることにより、運動視差による該受動情報画像についての運転者の知覚距離が前記能動情報画像表示領域に表示される能動情報画像についての運転者の知覚距離よりも遠くなるように、前記画像光投射手段を制御する表示制御手段として、前記コンピュータを機能させることを特徴とする情報提供用制御プログラム。